(57)【特許請求の範囲】
【請求項１】
充電装置の供給する充電電力を負荷へ供給するアダプタであって、
負荷側に接続可能であり、蓄電器を内蔵し負荷に電力を供給する電力供給装置と、
充電装置に装着可能であり、充電装置の充電電圧を制御し、前記電力供給装置の蓄電器へ電力線を介して電力供給する接続装置と、
を備えることを特徴とするアダプタ。
【請求項２】
前記蓄電器は、コンデンサであることを特徴とする請求の範囲第１項に記載のアダプタ。
【請求項３】
充電装置の供給する充電電力を負荷へ供給するアダプタであって、
負荷側に備えられた識別子を読み取る読み取り器と、
前記読み取り器により読み出された識別子に応じて、充電装置の充電電圧を制御し前記負荷へ供給させる制御部と、
を備えることを特徴とするアダプタ。
【請求項４】
前記充電装置からの電力を蓄えるための蓄電器を備えることを特徴とする請求の範囲第３項に記載のアダプタ。
【請求項５】
充電装置に接続される充電側アダプタと、電動機器に接続される機器側アダプタと、充電側アダプタと機器側アダプタを接続するケーブルをもつアダプタであり、機器側アダプタには蓄電器が組み込まれており、ケーブルには小電力が継続的に流され、蓄電器から電動機器に短時間に大電流が通電されるアダプタ。
【請求項６】
充電側アダプタは、充電装置に収容されている記憶装置に記憶されているプログラムよりも優先して充電装置のＣＰＵを作動させるプログラムを記憶している記憶装置を内蔵することを特徴とする特許請求の範囲第５項のアダプタ。
【請求項７】
充電側アダプタは、充電装置に収容されているＣＰＵよりも優先して充電装置内の電子装置を制御するＣＰＵを内蔵することを特徴とする特許請求の範囲第５項のアダプタ。
【請求項８】
機器側アダプタは、蓄電器となるコンデンサを内蔵することを特徴とする特許請求の範囲第５項のアダプタ。
【請求項９】
充電装置に接続されるアダプタであり、充電装置に収容されている記憶装置に記憶されているプログラムよりも優先して充電装置のＣＰＵを作動させるプログラムを記憶している記憶装置を内蔵することを特徴とするアダプタ。
【請求項１０】
アダプタに接続された電動機器の形式等を示すデータを読み出す装置がアダプタに付加されており、読み出されたデータに基づいて充電装置のＣＰＵを作動させるプログラムを選択ないし修正することを特徴とする特許請求の範囲第９項のアダプタ。
【請求項１１】
充電装置に接続されるアダプタであり、充電装置に収容されているＣＰＵよりも優先して充電装置内の電子装置を制御するＣＰＵを内蔵することを特徴とするアダプタ。
【請求項１２】
充電装置ＣＰＵがアダプタＣＰＵから制御コマンドを読み出して充電装置を制御することを特徴とする特許請求の範囲第１１項のアダプタ。
【請求項１３】
アダプタＣＰＵが充電装置ＣＰＵをバイパスして充電装置を制御することを特徴とする特許請求の範囲第１１項のアダプタ。
【請求項１４】
アダプタＣＰＵが充電装置ＣＰＵとデータ送受信可能なことを特徴とする特許請求の範囲第１１項のアダプタ。
【請求項１５】
アダプタＣＰＵが充電装置ＣＰＵと無線通信によってデータ送受信可能なことを特徴とする特許請求の範囲第１４項のアダプタ。
【請求項１６】
アダプタに接続される電動機器が、ランプ、加熱装置、冷却装置、盗難防止装置、電池パック、電池パック活性化装置のいずれかである特許請求の範囲第１１項のアダプタ。
【請求項１７】
アダプタに接続される電動機器が、ランプ、加熱装置、冷却装置、盗難防止装置、電池パック、電池パック活性化装置のいずれかである特許請求の範囲第９項のアダプタ。
【発明の詳細な説明】
技術分野
本発明は、２次電池を充電する充電装置に接続して用いるアダプタに関するものである。
背景技術
繰り返し充放電可能な充電式電池（２次電池）を電源とする各種ケーブルレス電動機器、例えば、コードレス（この明細書ではケーブルレスという）の電動ドリルや電動鋸装置といったケーブルレス電動工具、あるいは、ケーブルレス電気掃除機といったケーブルレスタイプの家庭用電動機器が広く普及している。また、充電装置から大電流を流すことによって２次電池を急速充電する技術も普及している。
２個の電池パックを用いると、一方の電池パックでケーブルレス電動機器を駆動している間に、他方の電池パックに対する急速充電を完了することができるために、電池パックを交換することによって、ケーブルレス電動機器を連続使用することが可能となる。
しかしながらそのためには、一方の電池パックでケーブルレス電動機器を駆動している間に、他方の電池パックに対する急速充電を完了しておく必要があり、何らかの理由でそれができない場合には、例えば、もう一つの電池パックを使用場所に持参しわすれたような場合には、電池切れとなってケーブルレス電動機器が使えなくなることがある。充電装置があっても、電池切れとなった電池パックが再充電されるまでは、ケーブルレス電動機器を駆動することができない。
発明の開示
本発明は、上述した課題を解決するためになされたものであり、その目的とするところは、充電装置からケーブルを介してケーブルレス電動機器に駆動電力を供給し得るアダプタを提供することにある。これが可能となると、充電済み電池がなくなった後も、電池が再度充電されるのを待つことなく、一時的にケーブルタイプの電動機器として、電動機器を使用しつづけることが可能となる。
充電装置は電池に充電電圧を加えるものであり、充電装置から供給される電圧と、電池から供給される電圧は概ね等しい。従って、電池切れとなった場合には、充電装置から供給される充電用電力をそのまま電動機器に供給することによってその電動機器を駆動できるように思われる。
しかしながら、例えば３００ワットのケーブルレス電動機器を考える。１００ボルトの電圧で駆動する場合の駆動電流は３アンペアであって、その程度の電流であれば通常のケーブルに流すことができる。それに対して電源とする電池電圧が１０ボルトであるとする。すると３０アンペアの駆動電流を必要とする。即ち、充電装置と電動機器をケーブルで接続して直接駆動する場合には、そのケーブルに大電流を流す必要がある。しかしながら、ケーブルに生じる抵抗発熱は、電流の２乗に比例するために、通常のケーブルには３０アンペアもの大電流は流せない。
即ち、１００ボルトといった商用電圧を利用する場合には、通常のケーブルで駆動電力を供給することができるのに対し、１０ボルトといった低電圧を利用する場合には、通常のケーブルでは駆動電力を供給することができない。
そのために、充電装置と電動機器をケーブルで直接接続するだけでは電動機器を駆動できず、何らかの工夫を必要とする。
本発明では、この問題を解決するために、アダプタを開発した。このアダプタは、充電装置に接続される充電側アダプタと、電動機器に接続される機器側アダプタと、両者を接続するケーブルから構成されている。
機器側アダプタは蓄電器を内蔵し、電動機器の駆動時には、電動機器に大電流を供給する。先の例でいえば、３０アンペアの電流を供給する。充電側アダプタは充電装置からの充電電力を受入れて、機器側アダプタの蓄電器を充電する。この充電電流は、電動機器の駆動電流に比して低く、通常のケーブルに流すことができる。
例えば、電動ドライバで次々にネジを締め付ける作業では、ネジ締め作業の前後にネジの位置合わせ作業等が必要とされ、作業者としては連続作業をしていても電動ドライバは間欠的に運転される。ここで、１本のネジ締めのために電動ドライバが２秒駆動され、その前後に８秒の作業が必要とされれば、３０アンペアを２秒間通電するのに必要な電力を蓄電器に蓄電するために、１０秒間が利用できることになり、ケーブルに流す電流を１／５に小さくすることができる。即ち、６アンペアを流しつづけておけば、アダプタから電動機器に対して１０秒ごとに１回、３０アンペアを２秒間供給することができる。
このアダプタを利用することによって、ケーブルには小さな電流を継続的に流し、それをアダプタの蓄電器に蓄積しておき、電動機器の駆動時にアダプタから電動機器に大電流を供給することができる。
機器側アダプタに用いる蓄電器にはコンデサを用いることが好ましい。コンデンサは長寿命であるため、長期に渡って電動機器に電力を供給しつづけることができる。
また、充電側アダプタに充電装置の制御装置を組み込むことが好ましい。この場合、例えば、蓄電器が満充電されたときに充電装置からの充電電力の供給を停止させる制御や、充電装置から出力される充電電圧を電動機器が必要とする電圧に調整する制御が可能となる。
充電側アダプタに充電装置の制御装置を組み込む場合、充電装置に収容されている記憶装置に記憶されているプログラムよりも優先して充電装置のＣＰＵを作動させるプログラムを記憶している記憶装置を充電側アダプタに内蔵させることができる。あるいは、充電装置に収容されているＣＰＵよりも優先して充電装置内の電子装置を制御するＣＰＵを充電側アダプタに内蔵させる。
いずれの方式によっても、充電装置は実質上、アダプタによって制御される。
現状の充電装置は２次電池の充電専用に設計されており、せっかく持っている機能を使いきっていない。例えば、前記したように、充電電流を電動機器に直接供給すれば、電池が再充電されるのを待たずに電動機器が使用可能となるにもかかわらず、本発明のアダプタが創作されるまではそれができなかった。充電装置は充電のためのものであって、電動機器を駆動する用い方はできなかった。
充電電力を供給できる能力を生かせば、充電装置を作業場所を照明する装置の電源として用いることもできよう。作業者の飲み物を加熱したり冷却したりする装置の電源として用いることもできよう。また、最近では作業場所で充電しているうちに、充電装置と電池パックが盗まれる事故が多く発生している。充電装置から供給される充電電力を利用すれば、盗難防止装置も実現することができるはずである。
しかしながら、現状の充電装置は、２次電池の充電専用機として設計されているに過ぎず、充電装置の持つ機能を利用して充電装置の利用範囲を拡大する試みは何らなされていない。
本発明は、また、充電装置の持つ機能を様々に利用可能なアダプタを開発した。このアダプタは、充電装置に接続される充電側アダプタと、電池パック以外の電動機器、例えば、ランプ、ヒータ、クーラ、盗難防止装置等のために必要な電力が出力されるように充電装置を制御する制御装置を有する。
この場合、ランプ、ヒータ、クーラ、盗難防止装置等の電動機器は、アダプタに一体化されていてもよく、アダプタに接続されるものであってもよい。
後者の場合には、アダプタに、接続される電動機器を特定するのに必要なデータを読み取る装置を内蔵させておくことが好ましい。例えば、アダプタにランプが接続された場合にはアダプタにその情報が入力され、ヒータが接続された場合にはアダプタにその情報が入力されることが好ましい。
さらに、アダプタは、電動機器の特性に合わせて充電装置を制御する制御装置を内蔵していることが好ましい。ランプが接続された場合にはランプを駆動するのに適した電力が供給され、ヒータが接続された場合にはヒータを駆動するのに適した電力が供給されることが好ましい。電動機器がアダプタに一体化されている場合にも、この制御装置を必要とする。
さらに、アダプタは、充電装置の特性を読み取り可能となっていることが好ましい。この場合、例えばヒータを接続して飲み物を加熱する場合に、充電装置の能力に応じてヒータに加える電力を的確に制御することができる。
現状の充電装置は、柔軟性に欠けている。通常は、充電可能な電池種類が限られており、充電装置が存在していてもタイプが合わないために充電できないことが頻繁に起こっている。充電の仕方は電池寿命に密接に影響する。少々電池寿命が短くなっても急速充電を必要とするユーザもいれば、急速充電を必要としないユーザもいる。現在の充電装置はこのような各種事情に対応することが出来ず、画一的な充電電流制御になっている。
本発明は、また、従来の充電装置が柔軟性に乏しいという問題を解決するアダプタを創作した。このアダプタによって、例えば、充電装置が開発された以後に開発された電池パックであって本来なら充電できない電池パックに対する充電を可能とする。急速充電を必要としないユーザには、アダプタによって電池寿命を低下させない緩速充電を適用する。あるいは、特別の急速充電を必要とする場合に、アダプタによって２台の充電装置を同時に用いた超急速充電を可能とする。本発明のアダプタによって、充電装置の利用範囲は格段に広げられる。
本発明の一つの態様のアダプタは、充電装置に収容されている記憶装置に記憶されているプログラムよりも優先して充電装置のＣＰＵを作動させるプログラムを記憶している記憶装置を内蔵している。さらに、このアダプタには、アダプタに接続された電動機器の形式等を示すデータを読み出す装置が付加されており、読み出されたデータに基づいて充電装置のＣＰＵを作動させるプログラムを選択ないし修正することが好ましい。
本発明の他の一つの態様のアダプタは、充電装置に収容されているＣＰＵよりも優先して充電装置内の電子装置を制御するＣＰＵを内蔵している。充電装置に収容されているＣＰＵよりもアダプタに収容されているＣＰＵを優先させるのは各種の方式がとりえ、例えば、充電装置ＣＰＵがアダプタＣＰＵから制御コマンドを読み出して充電装置を制御する方式がとりえる。あるいは、アダプタＣＰＵが充電装置ＣＰＵをバイパスして充電装置内の電子機器を直接制御する方式であってもよい。あるいは、アダプタＣＰＵと充電装置ＣＰＵとの間でデータの送受信可能をして充電装置を制御する方式であってもよい。アダプタＣＰＵと充電装置ＣＰＵが無線通信によってデータを送受信可能なことが望ましい。
以下に、本発明の詳細を説明するが、本発明の保護範囲は、詳細な説明に例示したものに限られるものでなく、特許請求の範囲によって定められる。
なお、この出願の明細書は、本出願人が２００１年の２月２６日に出願した米国特許出願（出願番号０９／７９４，７４６）の明細書と図面を引用するものであり、それらの明細書と図面はこの出願の明細書の一部であり、また図面の一部である。
発明を実施するための最良の形態
（第１実施形態）
以下、本発明の実施形態に係るアダプタについて図を参照して説明する。図１は、通常は電池パックで駆動される電動機器７０（この場合、ケーブルレス電動ドリルが例示されている）に電池パックを取り付けず、代わりに、アダプタ３０を接続して充電装置１０から供給される電力で電動機器７０が駆動される場合を示す。
アダプタ３０は、充電装置１０に接続される充電側アダプタ４０と、電動機器７０に接続される機器側アダプタ４５と、両者４０，４５を接続するケーブル４４から構成されている。
図２（Ａ）は、充電装置１０にアダプタ３０が取り付けられたときの機能ブロック図を示し、図２（Ｂ）は、充電装置１０に電池パック５０が取り付けられたときの機能ブロック図を示す。充電装置１０には、アダプタ３０または電池パック５０のいずれかが接続される。図３は充電装置１０の外観を示し、図４は電池パック５０の外観を示し、図５は電池パック５０が装着された電動機器７０を示す。
まず、充電装置１０によって充電される電池パック５０の構成を図４に基づいて説明する。電池パック５０は、略角柱状に形成された樹脂製のケーシング５１内に、図２（Ｂ）に示すように、複数個のニッケル水素電池５８が直列に接続された電池群を内蔵するもので、電池群５８の温度を検出するための温度センサＴＭと、電池パック７０の形式等の情報を保持するＥＥＰＲＯＭ６１とを備える。温度センサＴＭは、温度によって電気抵抗値が変化するサーミスタからなる。
図４に示すように、電池パック５０のケーシング５１の上端側には、電池パック５０を電動機器７０や充電装置１０に装着する際に、相手側に嵌合可能な一対の嵌合溝５３を形成した一対の嵌入部５２がレール状に並列して設けられている。ケーシング５１の上端側には、一対の嵌入部５２の間にプラス端子溝５７とマイナス端子溝５９およびコネクタ６０が設けられている。
プラス端子溝５７とマイナス端子溝５９の中には、図２（Ｂ）に示すプラス端子５８ａとマイナス端子５８ｂがそれぞれ設けられており、電動機器７０や充電装置１０に電池パック５０を装着したときに、これらの端子５８ａや５８ｂが相手側の受電端子や出力端子と接触し得るように構成されている。コネクタ６０の内部には、図２（Ｂ）に示す温度センサＴＭやＥＥＰＲＯＭ６１を接続するための端子６０ａと６０ｂが備えられている。
上述のように構成された電池パック５０は、図５に示すように、電動ドリル等の電動機器７０に装着されて使用される。電動機器７０は、使用者が把持するグリップ７４よりも下方に電池パック取付部７５が形成されている。通常は、電池パック取付部７５に、充電された電池パック５０を取付けてケーブルレス電動ドリルとして使用される。この場合、電池パック５０から電動機器７０に駆動電力が供給され、電動機器７０は図示しないモータによってチャック７６を回転させる。
充電済電池が無くなった場合には、図１に示すアダプタ３０を利用して電動機器７０を駆動することができる。このために、電池パック取付部７５には、図４に示す電池パック５０の他に、図１に示すように、アダプタ３０のうちの機器側アダプタ４５（電力供給装置）を取り付けることができる。図１に示す接続状態では、充電装置１０からアダプタ３０を介して電動機器７０に駆動電力が供給され、電動機器７０はその駆動電力を使って図示しないモータによってチャック７６を回転させる。
電池パック５０を充電したり電動機器７０に駆動電力を供給したりする充電装置１０の構成を、図２（Ａ），（Ｂ）、図３、図１１に基づいて説明する。図３に示すように、充電装置１０は樹脂製の筐体１１を有し、この筐体１１には、電池パック５０を装着可能な嵌合部１２が成形されている。また充電装置１０の筐体１１には、充電中の電池パック５０の容量を表示する容量表示ランプや、充電装置１０の動作状況を示す状態表示ランプ等、種々の図示しないインジケータ（表示装置）が設けられており、これらは後述する制御回路によって点灯制御される。
嵌合部１２には、電池パック５０の嵌合溝５３を案内可能なガイド１４が形成されている。またこの嵌合部１２には、電池パック５０のプラス端子５８ａとマイナス端子５８ｂに接続可能な出力端子が設けられている。さらに嵌合部１２には、電池パック５０のコネクタ６０内の端子６０ａ、６０ｂに接続可能な端子が設けられている。これらにより、充電装置１０内の制御回路が、電池パック５０から所定の温度情報等をこのコネクタを介して得ることができる。
図２（Ｂ）に示すように、充電装置１０の制御回路は、機能的にみたときに、電源回路２２、充電電流制御部２４、制御部２６、電圧検出部２７、温度検出部２８、記憶部２９等から構成される。電源回路２２は、電池パック５０内の電池群５８を充電可能な容量を有するように設定されている。温度検出部２８は、充電中の電池温度を温度センサＴＭにより検出可能に構成されており、電圧検出部２７は、電池電圧を検出できるように構成されている。記憶部２９は所定のマップ（電池温度の昇温スピードに対応して、そのときに通電することが好ましい充電電流値を記憶している）等の電流値制御情報を記憶するものである。
制御部２６は、温度検出部２８から出力された温度値を微分して温度上昇スピードを求めたうえで記憶部２９の電流値制御情報に基づいて充電電流値を算出し、算出された電流値を電流指令値として充電電流制御部２４へ出力し得るように構成されている。充電電流制御部２４は、制御部２６からの電流指令値に基づいて電源回路２２を制御し、電池パック５０に供給する充電電流を調整するように構成されている。
なお、上述した電源回路２２、充電電流制御部２４、制御部２６、電圧検出部２７、温度検出部２８、記憶部２９等は、本願出願人による先の特許出願（特願平１１−０８１２４７号）に開示する充電装置の構成と実質的に同様であり、温度センサＴＭにより電池群５８の温度を検出し、検出温度に基づいて充電電流を制御して充電を行う構成である。
このように構成された充電装置１０の嵌合部１２に電池パック５０が装着されると、所定のアルゴリズムによって、制御部２６が、電源回路２２、充電電流制御部２４、電圧検出部２７、温度検出部２８、記憶部２９等を制御し、電池パック５０内の電池群５８を充電する。そして、充電中は電池パック５０の容量を表示する容量表示ランプを点灯させ、また充電が完了すると充電を停止してその旨を同ランプにより告知する。また、制御部２６は、通信部を構成し得る通信ポート２６ａを備え、後述するようにアダプタ３０からの制御により、充電電流を制御し得るように構成されている。
図１１は、同種の充電装置１１０のハードウエア構成を示し、電池パック１６０が接続された様子を示す。
電池パック１６０は、直列に接続された電池群１６２を内蔵している。直列に接続された電池群１６２の電圧は、充電装置１１０の充電電圧よりも高い。電池群１６２は２グループに分類され、Ａグループの電池電圧と、Ｂグループの電池電圧と、充電装置１１０の充電電圧が等しい。即ち、電池パック１６０の電池電圧は、充電装置１１０の充電電圧の２倍に等しい。電池パック１６０には、その電池パックを充電するための充電電流の最適値を計算するのに必要なパラメータＡ，Ｂ・・が記憶されている。パラメータは電池パックの種類ごとに相違する。タイプ１の電池パックには、パラメータＡ１、Ｂ１・・が記憶され、タイプ２の電池パックには、パラメータＡ２、Ｂ２・・が記憶されている。電池パック１６０内には、温度によって電気抵抗値が変化するサーミスタ１６６が収容されている。サーミスタ１６６は電池群１６２に隣接して配置されている。
充電装置１１０は、交流を直流の一定電圧に変換する定電圧コンバータ１１２を備えている。定電圧コンバータ１１２で調整可能な電圧はＣＰＵ１３２によって制御され、例えば、１２ボルトの直流電圧に調整したり、１６ボルトの直流電圧に調整したりする。定電圧コンバータ１１２の出力側には、充電電流値を調整するスイッチング素子１１４が接続されており、スイッチング素子１１４は、ＣＰＵ１３２と駆動回路１２２によって断続的にオン・オフされる。基本周期は決まっており、その基本周期の中でオン時間を長く取ることで大きな充電電流に調整し、オン時間を短く取ることで小さな電流値に調整する。
スイッチ１１６は、充電電圧以上の電池電圧を持つ電池パックを充電するためのものであり、Ａ接点に切換えることで電池群１６２Ａを充電し、Ｂ接点に切換えることで電池群１６２Ｂを充電する。このようにして、例えば、１２ボルトを出力する充電装置１１０が電池群１６２を２４ボルトに充電することができる。
図示の１３８は、電子装置駆動用の電圧に変換するコンバータであり、変換された電圧がＣＰＵ１３２等に送られる。ＣＰＵ１３２は、定電圧コンバータ１１２を制御して充電装置１１０から供給される電圧を制御する。また、スイッチング素子１１４を制御して充電電流を制御する。さらにスイッチ１１６の切換えを制御する。ＣＰＵ１３２は、ＲＯＭ１２８に記録されているプログラムに従って、定電圧コンバータ１１２とスイッチング素子１１４とスイッチ１１６を制御する。このプラグラムは、電池パック１６０のＥＥＰＲＯＭ１６４に記憶されているパラメータを使用して充電電圧や充電電流を計算する処理手順を含んでいる。電池パック１６０に記憶されているパラメータを使用して計算することによって、その種類の電池パックを充電するのに最適な充電電圧と充電電流が計算され、充電装置１１０から供給される電圧と電流が、計算された充電電圧と充電電流に制御される。ＣＰＵ１３２と電池パックのＥＥＰＲＯＭ１６４は、通信ポート１３４によってデータの送受信が可能に接続される。
充電装置１１０は、この他、冷却ファン１１８と表示装置１２０を備えており、これらはＣＰＵ１３２によって駆動回路１２２を介して制御される。なお、充電装置１１０内の温度を検出するために、サーミスタ１２４を内蔵している。抵抗とサーミスタ１２４で分圧されるノード１２６の電圧が、温度に対応して変化することから充電装置１１０内の温度がＣＰＵ１３２に入力される。
図１は、本発明の第１実施形態に係るアダプタ３０を示し、図２（Ａ）は、アダプタ３０と充電装置１０の制御回路の機能的ブロックを示している。図１を参照して上述したように、アダプタ３０は、充電装置１０に取り付けられる充電側アダプタ（接続装置）４０と、電動ドリル等の電動機器７０側に接続される機器側アダプタ（電力供給装置）４５と、接続装置４０からの電流を電力供給装置４５へ送るための電力線（ケーブル）４４とからなる。アダプタ３０は、充電装置１０と電動機器７０との間に介在し、充電装置１０からの駆動電力を電動機器７０へ供給する。
図１に示すように、アダプタ３０の接続装置（充電側アダプタ）４０の下面には、図３を参照して上述した充電装置１０の嵌合部１２に嵌合可能な嵌合部３２が形成されている。充電側アダプタ４０の下面の嵌合部３２には、充電装置１０のプラス出力端子、マイナス出力端子、及び、コネクタと接続するための図示しないプラス受電端子、マイナス受電端子、及び、コネクタが設けられている。接続装置（充電側アダプタ）４０の側面には、レバー３６にて上下方向に付勢されるフック３４が設けられている。側面のフック３４は、充電装置１０のフック受け１８と係合することで、充電装置１０と接続装置（充電側アダプタ）４０との接続がなされる。
一方、電力供給装置（機器側アダプタ）４５の上面には、図４を参照して上述した電池パック５０と同様な、電動機器７０に装着する際に相手側に嵌合可能な一対の嵌入部（図示せず）がレール状に並列して設けられている。一対の嵌入部に挟まれるようにプラス端子溝、マイナス端子溝（図示せず）が設けられている。図２（Ａ）に示すように、電力供給装置（機器側アダプタ）４５には、蓄電器（コンデンサ）Ｃが内蔵され、充電装置１０から供給された充電電力がコンデンサＣに一旦蓄えられ、コンデンサＣに蓄積された電力が電動機器７０へ供給されるように構成されている。
アダプタ３０の接続装置（充電側アダプタ）４０は、図２（Ａ）に示すように、制御部４１と、充電装置１０の電源回路２２から供給される電圧を検出する電圧検出部４３とから主としてなる。接続装置（充電側アダプタ）４０は、充電装置１０側から電力の供給を受けて動作するように構成されている。アダプタ３０の制御部４１は、通信機能を有し、充電装置１０の制御部２６との間で情報通信を行う。即ち、通信ポート４１ａを介して充電装置１０の制御部２６の通信ポート２６ａとの通信を確立する。
引き続き、アダプタ３０及び充電装置１０の動作について、図６、図７のフローチャートを参照して説明する。図６はアダプタ３０の主制御を示し、図７は充電装置１０の主制御を示している。
アダプタ３０の制御動作の説明に先立ち、充電装置１０の動作について、図７のフローチャートを参照して説明する。この処理の結果、充電装置１０にＥＥＰＲＯＭ６１を備える電池パック５０が装填された際には、自らの制御プログラム（図１１のＲＯＭ１２８に記憶されている）に従って充電を行い、充電装置１０にアダプタ３０が装填された際には、アダプタ３０からの指令に従って電源回路２２から指令値に応じた電流を供給する。
まず、図２（Ｂ）に示すように、電池パック５０が装填された際の動作について説明する。この場合には、アダプタ３０が装着されないので、図７のステップＳ５２でＮｏとなる。充電装置１０に電池パック５０が装填されると、制御部２６が電圧検出部２７で電池電圧を検出すること、および／または、制御部２６が温度検出部２８で電池温度を検出することによって、充電装置１０に電池パック５０が装填されたことを検出し、図７のステップＳ６４でＹＥＳとなる。そこで、ＥＥＰＲＯＭ６１の情報を読み出す（ステップＳ６６）。次に、記憶部２９ないしはＲＯＭ１２８に保持されている各種電池パック用の制御プログラムの中から、装着された電池パック５０の型式に適合する制御プログラムを検索する（ステップＳ６８）。そして、電圧検出部２７及び温度検出部２８により電池５８の電圧・温度を検出する（ステップＳ７０）。電池電圧と温度に基づき充電を完了したかを判断し（ステップＳ７２）、充電が完了するまでは（ステップＳ７２でＮｏとなる間）、電池電圧と電池温度に基づいて決定した充電電流を電源回路２２から電池５８へ供給する。即ち、温度検出部２８から出力された温度値を微分して温度上昇速度を求めたうえで記憶部２９の制御プログラムに基づいて電流値を算出し、この電流値を電流指令値として充電電流制御部２４へ出力し、充電電流を制御する。そして、電池温度及び電池電圧に基づいて充電の完了を検出すると（ステップＳ７２でＹＥＳとなると）、充電を停止し（ステップＳ８０）、処理を終了する。
次に、図２（Ａ）に示すようにアダプタ３０の充電側アダプタ（接続装置）４０が充電装置１０に装着された際の動作について図６及び図７を参照して説明する。アダプタ３０の接続装置４０の制御部４１は、充電装置１０へ装填されたことを検出すると（図６に示すステップＳ１２がＹＥＳとなると）、充電装置１０側の制御部２６との通信を開始する（ステップＳ１４）。先ず、充電装置の制御部２６に対して、最大供給電流等の充電装置１０の性能を問い合わせる。このときに、図７に示すステップＳ５４はＹＥＳとなり、充電装置１０の制御部２６は、充電装置１０の性能のデータをアダプタ３０の制御部４１へ転送する（ステップＳ５６）。これにより、アダプタ３０側で、充電装置１０の性能を認識する（図６に示すステップＳ１６）。
そして、図２（Ａ）に示すようにアダプタ３０の電力供給装置（機器側アダプタ）４５が電動機器７０等の負荷に装填されると、制御部４１は、図示しないセンサにより装填されたことを検出し（ステップＳ１８でＹＥＳとなる）、充電電流の供給を開始させる。先ず、充電装置１０が、電動機器７０に装着される電池パック５０の電圧と同じ電圧を出力するようにする。また、コンデンサＣへ供給する電流値を算出する（ステップＳ２２）。そして、算出した充電電流値の指令を、充電装置１０側の制御部２６へ送出する（ステップＳ２４）。
充電装置１０の制御部２６は、アダプタ３０が装着されている際には（図７に示すステップＳ５２がＹＥＳのとき）、アダプタ３０からの指令を待機している（ステップＳ６０）。そして、上述したようにアダプタ３０から充電電流値の指令を受けると（ステップＳ６０でＹＥＳとなると）、当該指令値に応じて電源回路２２を制御し、コンデンサＣへ電力を供給する（ステップＳ６２）。
そして、電動機器７０から電力供給装置（機器側アダプタ）４５が外されたことをアダプタ３０の制御部４１が検出すると（図６に示すステップＳ２６がＹＥＳとなると）処理を終了する。
明らかに、アダプタの使用中は、充電装置に内蔵されている制御装置に優先して、アダプタに内蔵されている制御装置が充電装置を制御する。
この第１実施形態では、充電側アダプタ（接続装置）４０が、充電装置１０の充電電圧と充電電流を制御し、電力線４４を介して機器側アダプタ（電力供給装置）４５のコンデンサＣに電力を蓄える。このため、小さな電流を継続的に電力線４４に流してコンデンサＣに電力を蓄えることが可能となる。そして、電動機器（電動ドリル等）７０に装着された機器側アダプタ（電力供給装置）４５のコンデンサＣに蓄えた電力を電動機器７０に供給するために、電動機器に対して瞬時的に大電力を供給することができる。このため、間欠的に電動機器（ドリル等）７０を動作させる限り、コンデンサＣの電圧降下が起きず、電池パック５０を用いることなく快適に電動機器７０を使用することができる。また、本実施形態では、長寿命のコンデンサを用いて蓄電するために長期に渡って電動機器に電力を安定して供給することができる。
（第２実施形態）
引き続き、本発明の第２実施形態に係るアダプタ１３０について説明する。図８はアダプタ１３０の説明図であり、図９はアダプタ１３０のブロック図であり、図１０はアダプタ１３０の制御部による処理手順を示すフローチャートである。
第１実施形態のアダプタ３０は、充電側アダプタ（接続装置）４０と機器側アダプタ（電力供給装置）４５とからなっていたが、第２実施形態のアダプタ１３０は一体に形成されている。また、第１実施形態のアダプタ３０は、一定の電圧を電動機器側に供給したが、この第２実施形態では、負荷（電動機器）側の要求に応じた電圧を供給するように構成されている。
図８に示すように、アダプタ１３０には、ランプ（負荷）１５０が直接接続される。図９に示すように、ランプ１５０には、電球１５１と、スイッチ１５２と、ＥＥＰＲＯＭ１６１が備えられ、スイッチ１５２がオンした際に、電球１５１が点灯するように構成されている。電球１５１は、１２Ｖで点灯するように設定されており、ＥＥＰＲＯＭ１６１には、充電装置１０から１２Ｖを供給させる識別情報が書き込まれている。第２実施形態のアダプタ１３０の制御部１４１は、読み取り器を構成し、ランプ１５０のＥＥＥＰＲＯＭ１６１の上記識別情報を読み出し、充電装置１０側の制御部２６に指令を送り、電源回路２２を介して１２Ｖの電力をランプ１５０へ供給させる。
図８ではアダプタ１３０にランプ１５０が接続された様子が示されているが、アダプタ１３０に接続可能な電動機器はランプに限られず、ラジオ、テレビ、測定器等の電動機器が接続可能になっている。アダプタ１３０に接続可能な電動機器はＥＥＰＲＯＭ１６１を内蔵し、アダプタ１３０にどの電動機器が接続されたのかの情報が読み取り可能となっている。
このアダプタ１３０の制御部１４１の処理について、図１０のフローチャートを参照して説明する。ステップＳ１２〜ステップＳ１８までの動作は、図６を参照して上述した第１実施形態のステップＳ１２〜ステップＳ１８と同様である。ステップＳ２０にて、制御部１４１は、ランプ１５０等のＥＥＰＲＯＭ１６１の識別情報（負荷設定電圧）を読み出す。そして、充電電流の供給を開始させる。先ず、識別情報に基づいて導かれる電圧（ランプが接続された場合には１２ボルト）になるように充電装置１０の出力電圧を調整する。次に、コンデンサＣへの供給電流値を算出する（ステップＳ２２）。そして、算出した充電電流値の指令を、充電装置１０側の制御部２６へ送出する（ステップＳ２４）。そしてアダプタ１３０からランプ１５０が外されたことを制御部１４１が検出すると（ステップＳ２６がＹＥＳとなると）、処理を終了する。
第２実施形態では、制御部１４１が電動機器（負荷）１５０側に備えられたＥＥＰＲＯＭ１６１の識別子を読み取り、読み出された識別子に応じて充電装置１０の充電電圧を制御する。このため、負荷の必要とする電圧を供給することが可能となる。また、第２実施形態では、アダプタ１３０が、充電装置１０からの電力を蓄えるためのコンデンサＣを備えるので、負荷に対して瞬時的に大電力を供給することができる。
なお、上述した実施形態では、充電装置１０が充電電流を制御するように構成されていたが、充電電圧を調整するタイプの充電装置に本発明のアダプタを適用し得ることは言うまでもない。また、充電電流と充電電圧の双方を調整するタイプの充電装置に用いることもできる。
（充電装置の基本構成）
以下に説明する各種アダプタと各種の改良された電池パックは、図１１に示す充電装置１１０に接続されて用いられる。この充電装置１１０はフレキシブルに使用することが可能になっている。この充電装置１１０を最初に説明する。
充電装置１１０は、定電圧コンバータ１１２、スイッチング素子１１４、スイッチ１１６、ＣＰＵ１３２、ＲＯＭ１２８、通信ポート１３４、駆動回路１２２、冷却ファン１１８、表示装置１２０、制御電圧用コンバータ１３８、サーミスタ１２４等を備えている。
ＣＰＵ１３２は、通信ポート１３４を介して外部機器との間でデータの送受が可能である。図１１の場合、電池パック１６０のＥＥＰＲＯＭ１６４に記憶されているデータをＣＰＵ１３２によって読み出すことができる。ＲＯＭ１２８はＣＰＵ１３２を動作させるプログラムを記憶しており、このプログラムに、ＣＰＵ１３２によって外部機器からデータを読み出したり、外部機器にデータを出力したり、外部機器から入力したデータを利用して計算させる処理がプログラムされている。
ＣＰＵ１３２は、定電圧コンバータ１１２を制御して充電装置１１０から出力される電圧を計算された値に制御する。ＣＰＵ１３２は、スイッチング素子１１４を制御して充電装置１１０から出力される充電電流を計算された値に制御する。ＣＰＵ１３２は、スイッチ１１６を制御する。
この回路構成を備えることによって、充電装置１１０は、計算された電圧と電流を持つ充電電力を外部に供給し、スイッチ１１６によって出力端子を切換える。電圧と電流の計算は、基本的にＲＯＭ１２８に記憶されたプログラムによって行なわれ、必要に応じて、外部機器から入力されるデータと、サーミスタ１６６の抵抗値に関するデータが用いられる。充電装置１１０に内蔵されているサーミスタ１２４によって充電装置１１０内温度データが収集される。
ＣＰＵ１３２は、場合によって、外部機器に内蔵されているＣＰＵからの信号を入力してそのまま制御機器に出力することがあり、この場合、外部機器によって充電装置１１０が制御されることになる。ＣＰＵ１３２は、場合によって、外部機器に記憶されているプログラムに従って動作することがあり、この場合には、外部機器が予定している処理手順を充電装置ＣＰＵ１３２が実行する。
定電圧コンバータ１１２で調整される電圧はＣＰＵ１３２によって制御され、例えば、１２ボルトの直流電圧に調整したり、１６ボルトの直流電圧に調整したりする。定電圧コンバータ１１２の出力側には、充電電流値を調整するスイッチング素子１１４が接続されており、スイッチング素子１１４は、ＣＰＵ１３２と駆動回路１２２によって断続的にオン・オフされる。基本周期は決まっており、その基本周期の中でオン時間を長く取ることで大きな充電電流に調整し、オン時間を短く取ることで小さな電流値に調整する。スイッチ１１６は、充電電圧以上の電池電圧を持つ電池パックを充電するためのものであり、Ａ接点に切換えることで電池群１６２Ａを充電し、Ｂ接点に切換えることで電池群１６２Ｂを充電する。このようにして、例えば、充電装置１１０が１２ボルトを出力するときに電池群１６２を２４ボルトに充電することができる。
電子装置駆動用の電圧に変換するコンバータ１３８で調整された定電圧がＣＰＵ１３２等に送られる。ＣＰＵ１３２は、定電圧コンバータ１１２を制御して充電装置１１０の電圧を調整する。また、スイッチング素子１１４を制御して充電電流を調整する。さらには、スイッチ１１６の切換えを制御する。ＣＰＵ１３２は、ＲＯＭ１２８に記録されているプログラムに従って、定電圧コンバータ１１２と、スイッチング素子１１４と、スイッチ１１６を制御する。プラグラムは、電池パック１６０のＥＥＰＲＯＭ１６４に記憶されているパラメータを使用して計算する処理手順を含んでいる。パラメータを使用して計算することによって、その電池パック１６０を充電するのに最適な充電電圧と充電電流が計算され、計算された充電電圧と充電電流に調整される。ＣＰＵ１３２と電池パックのＥＥＰＲＯＭ１６４は、通信ポート１３４によって接続される。
充電装置１１０は、冷却ファン１１８と表示装置１２０を備えており、これらはＣＰＵ１３２によって駆動回路１２２を介して制御される。なお、サーミスタ１２４は充電装置内温度を検出する。
（電池を内蔵する電動機器の充電）
ケーブルレスで駆動される電動機器には２種類が存在し、電動機器から電池パックが脱着自在なものと、電動機器が電池を内蔵して脱着不能なものが存在する。
図１１は、充電装置１１０に電池パック１６０を接続して充電する場合を示し、図１２は、充電装置１１０に電動機器１７０を接続して充電する場合を示す。電動機器１７０は、電池群１７２と、スイッチ１７３と、モータ１７５を備え、スイッチ１７３をオンすると、電池群１７２がモータ１７５に駆動電流を加えて電動機器１７０の目的を達成する。電動機器１７０は、電動工具であったり、家庭用のケーブルレス電動機器であったりする。
この場合、電池群１７２の電圧が低く、グループ毎に充電する必要がなく、スイッチ１１６は、Ａ接点で用いられる。
図１１と図１２は、充電装置１１０が、電池種類に対応する制御プログラムをＲＯＭ１２８に記憶している電池１６２，１７２を充電する場合を示し、この場合には、ＥＥＰＲＯＭ１６４、１７８に記憶されているパラメータの値をＣＰＵ１３２が読み取り、読み取られたパラメータをプログラムによって処理して充電電圧と充電電流を計算し、計算された電圧と電流を持つ充電電力を電池に通電する。このために、電池ごとに最適な電圧と電流で充電される。プログラムとパラメータが、最適電圧と最適電流をもたらすように作成されている。
（第３実施形態のアダプタ）
図１１と１２の場合、充電装置１１０が、ＥＥＰＲＯＭ１６４、１７８に記憶されているパラメータの値とＲＯＭ１２８に記憶されているプログラムに従って作動することによって、電池ごとに最適な電圧と電流で充電される。
しかしながら、最適電流は必ずしも単一ではない。例えば、急速充電を必要とする場合には、急速充電用の最適電流値が存在する一方、急速充電を必要としない場合には、それとは異なる最適電流値が存在する。
従って、充電装置１１０に多様なプログラムを用意しておくことが好ましいが、それでは充電装置１１０の価格が高くなってしまう。そこで、細かな制御をしたい者のみが購入することで自己に最適な制御を実行することができるようにするアダプタ２００が開発された。これが図１３に示される。アダプタ２００はそれ自体がＣＰＵ２０４を持ち、そのＣＰＵ２０４がパラメータを書き返る。電池パック２１０のＥＥＰＲＯＭ２１４には、パラメータが記憶されている。このパラメータ２１４は、その機種の電池パックのための標準的最適充電電流値を実現する値が記憶されている。ユーザによっては電池寿命を犠牲にしてもかまわないからさらに急速に充電することを必要とする者がいる。逆に、電池寿命を重視してゆっくり充電することを必要とする者がいる。このような者がアダプタ２００を購入する。
アダプタ２００には、ユーザが調整するセレクタスイッチ２０２が用意されており、標準よりも急速充電を必要とする者はスイッチ２０２を急速側に切換え、緩速充電を希望するものはスイッチ２０２を緩速側に切換える。すると、ＣＰＵ２０４は、ＲＯＭ２０６に記憶されているパラメータ修正プログラムによって、電池パック２１０に記憶されているパラメータの値を修正し、修正されたパラメータをＥＥＰＲＯＭ２０８に記憶させる。このとき、急速充電を必要とする場合にはパラメータが急速用に修正され、緩速充電を必要とする場合にはパラメータが緩速用に修正される。
充電装置１１０は、修正されたパラメータによって充電電流値を計算するために、ユーザが設定した条件で充電されることになる。
（第４実施形態の充電装置の使い方）
充電装置１１０が市場に送り出された以降に新たなタイプの電池パックが開発されることがある。このとき、充電制御プログラムは変える必要がなく、電池パックに記憶しているパラメータの値のみを変えれば良好に充電できる場合もあれば、新しい充電制御プログラムを用いないと良好に充電することができない場合がある。後者の場合、すでに市場に供給された古い充電装置では新しい電池パックを充電できないことになる。
しかしながら、この充電装置１１０は、将来に開発される電池をも充電できるように設計されている。図１４に示すように、充電装置１１０のＣＰＵ１３２は、外部機器（この場合新型の電池パック２２０）のＥＥＰＲＯＭ２２４が接続された場合には、ＲＯＭ１２８に記憶されているプログラムでなく、外部機器のＥＥＰＲＯＭ２２４に記憶されているプログラムに従って動作するように設計されている。
新型の電池パック２２０のＥＥＰＲＯＭ２２４には、その電池パックを充電するのに最適な電圧と電流に制御するためのプログラムが記憶されており、このプログラムに従って充電装置１１０が制御されるために、旧型の充電装置１１０で新型の電池パック２２０を充電することができる。
この場合、プログラムを記憶するＥＥＰＲＯＭ２２４を、電池パック２２０から取り外せるアダプタに組み込むことが可能である。この場合、例えば１０台の新型電池パックを購入する者は、プログラムを記憶している１４台のアダプタと、プログラムが記憶されていない１０台の電池パックを購入すればよく、安価となる。
（第５実施形態の充電装置の使い方）
新型の電池パック２３０に図１５の回路を組み込むことで、旧型の充電装置１１０で新型の電池パック２３０を充電可能とすることができる。この場合、電池パック２３０には、人工的に温度信号を作り出す回路が組み込まれている。
前記したように、充電装置１１０は、電池温度によって充電電流を制御する。電池温度の昇温スピードが遅ければ充電電流を増加させ、昇温スピードが速すぎれば充電電流を減少させる。逆にいうと、充電電流が決まったときには数学的に解法することによって、その充電電流をもたらす昇温スピードが計算できる。
図１５の電池パック２３０のＣＰＵ２３８はこの計算を実行する。即ち、サーミスタ２３６で検出される電池温度と、ＥＥＰＲＯＭ２３３に記憶されているパラメータによって、最適充電電流を計算する。次に、充電装置１１０によってその充電電流値が計算される昇温スピードを計算する。昇温スピードが計算されたら、その昇温スピードに対応する温度信号（アナログ信号）をＤ／Ａコンバータ２３９から出力する。出力されたアナログ信号は、充電装置１１０に電池パックの温度信号として入力される。充電装置１１０では入力された電池パック信号に基づいて充電電流を計算し、計算された充電電流を出力する。これは、電池パック２３０のＣＰＵ２３８で計算された最適充電電流に等しい。このようにしても、旧型の充電装置１１０で新型の電池パック２３０を充電することができる。
この場合にも、ＣＰＵ２３８等を、電池パック２３０から分離可能なアダプタに収容することが可能であり、こうする事で、すべての新型電池パック２３０にＣＰＵ２３８を搭載しなくてもすむことになる。３個の電池パックを交換しながら使用する者は、３個のＣＰＵを持たない新型電池パックとＣＰＵ２３８等を持つ１台のアダプタを購入すればよい。
（第６実施形態の充電装置の使い方）
新型の電池パック２４０に図１６の回路を組み込むことで、旧型の充電装置１１０で新型の電池パック２４０を充電可能とすることができる。この場合、電池パック２４０には、ＣＰＵ２４８が搭載され、ＣＰＵ２４８が、充電装置１１０の定電圧コンバータ１１２と、スイッチング素子１１４と、スイッチ１１６に対する制御コマンドを生成し、生成された制御コマンドがＥＥＰＲＯＭ２４９に記憶される。制御コマンドの生成のために、ＲＯＭ２４４に記憶されているプログラム、サーミスタ２４６の出力値、電池群２４２の電圧が利用される。これらを利用することで、ＣＰＵ２４８は最適な充電制御を実現する制御コマンドを生成してＥＥＰＲＯＭ２４９に記憶することができる。
充電装置１１０のＣＰＵ１３２は、ＥＥＰＲＯＭ２４９に記憶される制御コマンドを読み取り、読み取った制御コマンドを、定電圧コンバータ１１２と、スイッチング素子１１４と、スイッチ１１６に送る。このようにしても、旧型の充電装置１１０で新型の電池パック２４０を充電することができる。
この場合にも、ＣＰＵ２４８等を電池パック２４０から分離可能なアダプタに収容することが可能であり、こうする事で、すべての新型電池パック２４０にＣＰＵ２４８を搭載しなくてむすむことになる。
（第７実施形態の充電装置の使い方）
この充電装置１１０は、複数のサーミスタ２５３、２５６、２５７を電池パック２５０内に持ち、フェイルセーフ機能が改良された電池パック２５０を充電することもできる。
図１７に示すように、電池パック２５０は、主たるサーミスタ２５３の他、電池パック２５０内に分散されている第２・第３のサーミスタ２５６，２５７を持つ。
正常時には、充電装置１１０が、主たるサーミスタ２５３の電圧に基づいて充電電流を制御する。電池パック２５０内に分散して配置されているサーミスタ２５６，２５７の電圧がＣＰＵ２５８でモニタされ、異常昇温が検出されると、ＣＰＵ２５８は異常停止制御コマンドを生成し、充電装置１１０に割り込み実行させる。この結果、充電は停止し、異常昇温のまま充電が継続されることを防止する。
（第８実施形態の充電装置の使い方）
新型の電池パック２６０に図１８の回路を組み込むことで、旧型の充電装置１１０で新型の電池パック２６０を充電可能とすることができる。この場合、電池パック２６０には、ＣＰＵ２６８が搭載され、ＣＰＵ２６８が、充電装置１１０の定電圧コンバータ１１２と、スイッチング素子１１４に対する制御コマンドを生成する。電池パック２６０には駆動回路２６９が組み込まれており、定電圧コンバータ１１２とスイッチング素子１１４は駆動回路２６９とＣＰＵ２６８で制御される。アダプタＣＰＵ２６８が充電装置ＣＰＵ１３２をバイパスして充電装置１１０を制御する。
この場合、旧型の充電装置１１０にＡ接点を付加する改良を施すことで、新型電池パック２６０の充電が可能となる。この場合にも、ＣＰＵ２６８や駆動回路２６９等を電池パック２６０から分離可能なアダプタに収容することが可能であり、こうする事で、すべての新型電池パックにＣＰＵ２６８や駆動回路２６９等を搭載しなくてもすむことになる。
（第９実施形態の充電装置の使い方）
図１９は、充電装置１１０に、電池を内蔵する電動機器２７０が接続された用い方を示し、電動機器２７０に内蔵されているＣＰＵ２７８が充電装置１１０を制御する。この場合、電池パックの特性のみならず、電動機器２７０の特性に合わせた充電制御プログラムをＲＯＭ２７４に記憶しておくことができ、電動機器２７０の特性に適応した充電制御ができる。この場合、機器側ＣＰＵ２７８が充電装置１１０を制御する。
（第１０実施形態の充電装置の使い方）
図２０に示される実施形態は、充電装置１１０にアダプタを取り付けて、自動車用エンジンのスタータモータ２９４に駆動電流を供給したり、車載されている電池２９２を充電したりする場合に用いられる。
スタータモータ２９４に駆動電流を供給する場合には、ＣＰＵ２８８が充電装置１１０のスイッチ１１６とアダプタ２８０のスイッチ２８３をＢ接点に切換える。このとき、ＣＰＵ２８８は、充電装置１１０から大容量キャパシタ２８５を充電するのに適当な電圧と電流が供給されるように充電装置１１０を制御する。このためのプログラムはＲＯＭ２８４に記憶されている。大容量キャパシタＣに必要な電荷がチャージされたときにスタータモータ２９４のスイッチが入れられると、大容量キャパシタＣから大電流が通電されてスタータモータ２９４が回転し、エンジンが始動する。
車載電池２９２を充電する場合には、ＣＰＵ２８８が充電装置１１０のスイッチ１１６とアダプタ２８０のスイッチ２８３をＡ接点に切換える。このとき、ＣＰＵ２８８は、充電装置１１０から車載電池２９２を充電するのに適当な電圧と電流が供給されるように充電装置１１０を制御する。このためのプログラムはＲＯＭ２８４に記憶されている。
（第１１実施形態の充電装置の使い方）
図２１に示される実施形態は、スイッチ１１６を持たない充電装置１１０で、充電装置１１０から供給可能な電圧以上の電池電圧を持つ電池パック３１０を充電するために用いられるアダプタ３００を示す。このアダプタ３００は、スイッチ３０３を内蔵し、ＣＰＵ３０８がスイッチ３０３を切換える。最初はＡ接点を利用して電池群３１２Ａを充電する。充電完了後にＢ接点に切換えて電池群３１２Ｂを充電する。これにかえて、単位時間ごとに、接点ＡとＢを切換えてもよい。充電電流の制御は図１１に示したものである。
（第１２実施形態の充電装置の使い方）
図２２に示される実施形態は、接点を持たない電池パック３３０に対して充電装置１１０で充電する時に用いられれるアダプタ３２０を示す。
電池パック３３０は誘導コイル３３１を持ち、それを整流した電流で電池群３３２が充電される。電池に蓄積された電流の一部を使って制御電力が取り出される。このために、定圧電源回路３３３が組み込まれている。この電源によって、ＣＰＵ３３８、駆動回路３３４、送受信部３３５が駆動される。ＣＰＵ３３８は、送受信部３３５を制御して電池パック３３０の種類を示すデータや電池温度を示すデータを電池パック外に送り出す。送受信部３３５は、赤外線や無線電波を発信してデータを外部に送り出す。
アダプタ３２０は、送受信部３２４を持ち、データを受取る。ＣＰＵ３２８は、受けとったデータとＲＯＭ３２９のプログラムによって、充電装置１１０を制御する。充電装置１１０から供給された電力は誘導コイル３２２に通電され、誘導コイル３３１に誘導電力を誘導する。ＣＰＵ３２８は、誘導コイル３３１に、電池群３３２を充電するのに的確な電流が誘導されるように、充電装置１１０を制御する。
このアダプタ３２０を用いると、有接点用の充電装置１１０で、無接点の電池パック３３０を充電することが可能となる。
（第１３実施形態の充電装置の使い方）
図２３に示される実施形態は、図１に示したアダプタと同種のアダプタ３４０を示している。蓄電器３５２を利用してモータ３５５等を駆動する。このアダプタ３４０は冷却風ダクトを持ち、充電装置１１０に内蔵される冷却ファン１１８の風の一部を電動機器３５５に導いて電動機器３５５を冷却する。通常の電動機器はモータ３５５の回転を利用して冷却するために、モータ３５５の非回転中は冷却されない。このアダプタ３５０を用いると、モータ３５５が回転しないときにも冷却することができる。この場合、正確には、モータ３５５はアダプタ３５０に接続されるものとして図示すべきであるが、簡単のために、アダプタ内部に示されている。
（第１４実施形態の充電装置の使い方）
図２４に示される実施形態は、アダプタＣＰＵ３６８と充電装置ＣＰＵ１３２が無線でデータ送受信する例を示す。この場合、正確には、モータ３６５はアダプタ３６０に接続されるものとして図示すべきであるが、簡単のために、アダプタ内部に示されている。
（第１５実施形態の充電装置の使い方）
図２５に示される実施形態は、電動機器３９０に駆動電力を供給したり、電池パック３８０を充電するアダプタ３７０を示す。キャパシタ３９２の電圧が低下すると、ＣＰＵ３７８は充電装置１１０のスイッチ１１６をＡ接点に切換えてキャパシタ３９２を充電する。キャパシタ３９２の電圧が上昇すると、ＣＰＵ３７８は充電装置１１０のスイッチ１１６をＢ接点に切換えて電池パック３８０を充電する。
いずれの場合にも、充電装置１１０はＲＯＭ３７４に記憶されていプログラムによって制御され、電池パック３８０に充電しているあいだは、ＥＥＰＲＯＭ３８４に記憶されているパラメータも利用される。
この種のアダプアタを用いる場合、充電装置１１０が加熱されると、ＣＰＵ１３２がＣＰＵ３７８に加熱信号を送る。ＲＯＭ３７４には、加熱信号が送られると充電電流を下げる処理が用意されている。なお、この種の制御手順はすべてのケースに組み込まれている。
（第１６実施形態の充電装置の使い方）
図２６に示される実施形態は、充電装置１１０で電動機器４００を駆動しながら、その電動機器４００に接続されている電池パック４１０をも充電する用い方を示している。
電動機器４００のＣＰＵ４０８は、電池パック４１０の電池群４１２が満充電状態を維持するように、充電装置１１０を制御する。電動機器４００のモータ４０５が駆動される場合、駆動電流の１部は充電装置１１０から供給される。不足分は電池パック４１０から供給される。
充電装置１１０が加熱されると、ＣＰＵ１３２がＣＰＵ４０８に加熱信号を送る。ＲＯＭ４０４には、加熱信号が送られると充電電流を下げる処理が用意されている。また、電池パック４１０の過放電や異常温度上昇が生じた場合には、ＣＰＵ４０８は作業者に注意を喚起するために、図示しないブザーを鳴らす。
（第１７実施形態の充電装置の使い方）
図２７に示される実施形態は、２台の仕様の異なる電動機器４３０，４４０に駆動電流を供給するアダプタ４２０を示す。定電圧コンバータ１１２は、ＣＰＵ４２８とＣＰＵ１３２によって、１２ボルトまたは９．６ボルトに調整する。電圧の切換えに同期してスイッチ４２３はＡ接点とＢ接点の間で切換えられる。１２ボルトのときにはＡ接点が用いられ、１２ボルトで駆動される電動機器４３０に内蔵されている蓄電器４３２を充電する。電動機器４３０は蓄電器４３２の電力によって駆動される。９．６ボルトのときにはＢ接点が用いられ、９．６ボルトで駆動される電動機器４４０に内蔵されている蓄電器４４２を充電する。電動機器４４０は蓄電器４４２の電力によって駆動される。
電動機器４３０と４４０の使用頻度が低い場合には、充電装置１１０で交互に蓄電器４３２と４４２を充電することで、非使用期間内に使用電力を補給することができる。
このアダプタ４２０は、一つの機器に電力を供給しながら、もう一つの電池パックに充電することもできる。
（第１８実施形態の充電装置の使い方）
図２８に示される実施形態は、電動機器４６０と４７０が、アナログのＩＤレジスタ４６４，４７４を備えている例を示し、アダプタ４５０は、そのアナログＩＤレジスタ４６４，４７４にかかっている電圧を入力して、アダプタ４５０に接続された電動機器の仕様を判別する。これによって、１２ボルトで駆動される機器か、あるいは９．６ボルトで駆動される機器かを判別する。その他は図２７と同じである。
（第１９実施形態の充電装置の使い方）
図２９に示される実施形態は、電動工具等の電動機器４８５を冷却するアダプタ４８０を示す。アダプタ４８０は、充電装置１１０の冷却ファン１１８からの冷却風を受入れて電動機器４８５に導く冷却風ダクト４８６を備えている。この冷却風ダクト４８６は、モータやオイルユニット等の特に加熱されやすい部分に冷却風を導く。
アダプタ４８０に電動機器４８５が装着されると、アダプタ４８０は充電装置１１０を制御して冷却ファン１１８を回転させる。
（第２０実施形態の充電装置の使い方）
図３０に示される実施形態は、充電装置１１０をパーソナルコンピュータ４９１を介してインターネット４９２に接続するためのアダプタ４９０を示す。この場合、インターネットから充電装置診断用プログラムを送り込んで、アダプタ４９０によって充電装置１１０の正常異常の診断をすることができる。診断プログラムは、インターネットからＲＯＭ４９４にダウンロードしてもよい。
診断結果はパーソナルコンピュータ４９１に記録される他、故障時には補修部品情報をインターネットに送り出す。その情報の受け手は、必要な補修部品を発送したり、手配したりすることができる。
（第２１実施形態の充電装置の使い方）
図３１に示される実施形態は、作業者のために、カン飲料をあたためる機能を備えるアダプタ５００を充電装置１１０に接続した場合を示す。アダプタ５００はヒータ５０２を備え、ヒータ５０２はＣＰＵ５０８と駆動回路５０９で制御される。ＲＯＭ５０４には、ヒータ５０２を適温に加熱するためのプログラムが記憶されている。ヒータ５０２には、充電装置１１０から駆動電力が供給される。この駆動電力はアダプタ５００のＣＰＵ５０８によって制御される。
（第２２実施形態の充電装置の使い方）
図３２に示される実施形態は、作業者のために、カン飲料を冷やす機能を備えるアダプタ５１０を充電装置１１０に接続した場合を示す。アダプタ５１０はペリチェ素子等の冷却装置５１２を備え、冷却装置５１２はＣＰＵ５１８と駆動回路５１９で制御される。ＲＯＭ５１４には、冷却装置５１２を適温に冷却するためのプログラムが記憶されている。冷却装置５１２には、充電装置１１０から駆動電力が供給される。この駆動電力はアダプタ５１０のＣＰＵ５１８によって制御される。
（第２３実施形態の充電装置の使い方）
図３３に示される実施形態は、盗難防止装置付きのアダプタ５２０を利用しながら充電装置１１０で電池パック５３０を充電する場合を示している。最近、充電中の電池や充電装置が盗まれる事故が多く発生しており、このアダプタ５２０の利用価値は高い。
作業者は自己の身体にリモコン５２７をつけている。アダプタ５２０にはリモコン５２７と信号を送受信する送受信部５２３が設けられている。送受信部５２３が作業者の近くにあってリモコン５２７とデータの送受を行なっている間は、ＣＰＵ５２６が正常であると判別してブザー５２２を鳴らさない。ところが、送受信部５２３が作業者の近傍から持ち出されてリモコン５２７とデータの送受が行なえなくなると、ＣＰＵ５２６が異常であると判別してブザー５２２を鳴らす。作業者はブザーの音によって、アダプタ５２０等（充電装置１１０と電池パック５３０）が無断で遠方に持ちさられようとしていることを感知する。また、アダプタ５２０から電池パック５３０が抜き出せれたときにも、ＣＰＵ５２６はブザー５２２を鳴らすので、電池パックのみの盗難をも防止することができる。
リモコン５２７には、異常時に作業者に報知するブザーが備えられている他、電池パック５３０が適正に充電されたことを報知する手段が組み込まれている。作業者はリモコン５２７を操作してブザー５２２をならす事ができ、このようにして充電装置１１０の存在場所が不明となったときに充電装置１１０を発見しやすくする。アダプタ５２０内には図示されないバックアップ電源が内蔵されており、ＣＰＵ５２６はこのバックアップ電源が常時に満充電されているように制御する。満充電されているバックアップ電源から、充電装置１１０に制御電圧を供給するようにしてもよい。
（第２４実施形態の充電装置の使い方）
図３４に示される実施形態は、冷却ファン１１８を持たない充電装置１１０を冷却するアダプタ５４０を示す。アダプタ５４０は冷却ファン５４３を備え、充電中の充電装置１１０を冷却する。充電装置１１０が冷却されると、より大きな電流を流して急速充電することができる。このために、冷却ファンで冷却されないことを前提とする値がＥＥＰＲＯＭ５５４記憶されているパラメータの値を、より大電流が計算されるパラメータの値に書き返る。書き換えられたパラメータはＥＥＰＲＯＭ５４５に記憶され、書き換えられたパラメータが充電装置１１０に送られる。
（第２５実施形態の充電装置の使い方）
図３５に示される実施形態は、アダプタ５６０に強力な冷却ファン５６３を取り付けた例を示し、充電中の充電装置１１０は強力に冷却される。冷却ファン５６３は、充電装置１１０からの充電電流で強力に駆動される。
充電装置１１０が強力に冷却されると、より大きな電流を流して急速充電することができる。このために、充電装置内の小型の冷却ファンで冷却されることを前提とする値がＥＥＰＲＯＭ５５４記憶されているパラメータの値を、より大電流が計算されるパラメータの値に書き返る。書き換えられたパラメータはＥＥＰＲＯＭ５６５に記憶され、書き換えられたパラメータが充電装置１１０に送られる。
冷却ファンを内蔵する充電装置１１０にも、このアダプタは有効に用いられる。なお、電池パック５７０に対する充電と、冷却ファン５６３のための蓄電器５６２に対する充電は、同時に実施してもよいし、交互に実施してもよい。
（第２６実施形態の充電装置の使い方）
図３６に示される実施形態は、低温時に放電特性等が劣化する電池パック５７０を暖めて、充電前後で電池パック５７０を適温に保つアダプタ５８０を示す。
サーミスタ５７６で検出される電池温度が低いうちは、ヒータ５８３によって電池パック５７０を暖める。サーミスタ５７６で検出される電池温度が適温になったら充電を開始してヒータ５８３を停止させる。充電中の電池パック５７０は発熱するので、ヒータ５８３は要らない。よほどの低温時には、間欠的にヒータ５８３を利用して電池パック５７０を加温する。この間は、電池パック５７０の充電を休止する。
電池パック５７０は適温で充電されるために、充電電流を大きくして急速充電することができる。そのために、より大きな充電電流が計算されるパラメータを用いることができ、書き換えられたパラメータはＥＥＰＲＯＭ５８５に記憶され、書き換えられたパラメータが充電装置１１０に送られる。
何らかの異常が生じると、ＣＰＵ５８８は充電装置１１０に異常信号を送り、充電装置１１０の表示装置１２０に異常が表示される。
（第２７実施形態の充電装置の使い方）
図３７に示される実施形態は、電池パック５７０に対する充電と放電を繰り返して電池パック５７０を活性化させるアダプタ５９０をとり付けた例を示す。電池パック５７０に対する充電と放電を繰り返すと、メモリ効果が解消して電池パック５７０は活性化される。
アダプタ５９０には、スイッチ５９３が内蔵されており、作業者がスイッチ操作することでＲＯＭ５９４のプログラムに従って、電池パック５７０に対する充電と放電が繰り返されて電池パック５７０は活性化される。スイッチ５９１が切換えられて充電と放電が切換えられる。
このアダプタ５９０は、電池パック５７０の不活性度をチェックし、バッテリＥＥＰＲＯＭのデータを更新し、オートリフレッシュやリフレット推奨表示することが可能である。また、温度センサの診断、バッテリ内部抵抗の測定、使用履歴から推定される残り寿命の推定値の表示など、高度なバッテリチェッカとして利用することができる。
（第２８実施形態の充電装置の使い方）
図３８に示される実施形態は、図２７、２８の場合と同様に、２台の仕様の異なる電池パック６１０，６２０に充電電流を供給するアダプタ６００を示す。定電圧コンバータ１１２は、ＣＰＵ６０８とＣＰＵ１３２によって、例えば、１２ボルトまたは９．６ボルトに調整する。電圧の切換えに同期してスイッチ６０２はＡ接点とＢ接点の間で切換えられる。１２ボルトのときにはＡ接点が用いられ、１２ボルトの電池パック６１０を充電する。９．６ボルトのときにはＢ接点が用いられ、９．６ボルトの電池パック６２０を充電する。
スイッチ６０２は短時間でＡ接点とＢ接点を切換え、電池パック６１０と６２０を同時並行的に充電する。アダプタに１個の電池パックしか接続されない場合、あるいは、一方の電池パックが満充電された後には、充電を必要とする電池パックに対してのみ継続的に充電電流を流す。
（第２９実施形態の充電装置の使い方）
図３９に示される実施形態は、２台の充電装置１１０Ａと１１０Ｂによって電池パック６４０を超急速充電するためのアダプタ６３０を示す。ＣＰＵ６３８は２個の充電装置ＣＰＵに信号を送り、それぞれの充電装置の能力を充分に活用する。この結果、電池パック６４０は超急速充電される。
ＣＰＵ６３８は、超急速充電用を充電電流値を計算し、それを二分し、二分された電流が各充電装置１１０Ａと１１０Ｂから供給されるように、各充電装置１１０Ａと１１０Ｂを制御する。
（第３０実施形態の充電装置の使い方）
図４０に示される実施形態は、充電装置１１０の診断用アダプタ６５０を示す。ＲＯＭ６５４に充電装置診断用プログラムが記憶されている。ＣＰＵ６５８が診断用プログラムに従って作動することで、スイッチング素子１１４やリレー等の回路素子、サーミスタ１２４等のセンサ素子の正常異常を診断する。診断結果は、アダプタ６５０に表示される。
（第３１実施形態の充電装置の使い方）
図４１に示される実施形態は、電池パック５７０に対する充電と放電を繰り返して電池パック５７０を活性化させるアダプタ６６０をとり付けた例を示す。電池パック５７０に対する充電と放電を繰り返すと、メモリ効果が解消して電池パック５７０は活性化される。スイッチ６６２が切換えられて充電と放電が切換えられる。
図３７と対比すると明らかに、このアダプタ６６０のＲＯＭ６６４には、充電プログラムと活性化プログラムが記憶されており、充電装置１１０では対応できないはずの電池に対する処理が可能となっている。その他は、図３７の場合と同様であり、作業者がスイッチ６６９を操作することでＲＯＭ６６４のプログラムに従って、電池パック５７０に対する充電と放電が繰り返されて電池パック５７０は活性化される。
このアダプタ６６０は、電池パック５７０の不活性度をチェックし、バッテリＥＥＰＲＯＭのデータを更新し、オートリフレッシュやリフレッシュ推奨表示することが可能である。また、温度センサの診断、バッテリ内部抵抗の測定、使用履歴から推定される残り寿命の推定値の表示など、高度なバッテリチェッカとして利用することができる。
（第３２実施形態の充電装置の使い方）
図４２に示される実施形態は、２個の電池パック５７０Ａと５７０Ｂに対する充電と放電を同時並行的に繰り返して２個の電池パック５７０Ａと５７０Ｂを同時並行的に活性化させるアダプタ６７０をとり付けた例を示す。スイッチ６７１が切換えられて充電と放電が切換えられる。スイッチ６７２がＡ接点に切換えられると、電池パック５７０Ａが処理され、Ｂ接点に切換えられると、電池パック５７０Ｂが処理される。
その他は、図３７の場合と同様である。アダプタに１個の電池パックが接続されたとき、あるいは一方の電池に対する活性化処理が終了したときには、活性化処理を必要とする電池パックに継続的に活性化処理が実行される。
（第３３実施形態の充電装置の使い方）
図４３に示される実施形態は、２個の電池パック６９０と７００を同時並行的に充電するアダプタ６８０をとり付けた例を示す。ここで、図３８の場合とは相違し、電池パック７００は充電装置１１０で充電することを予定しているのに対し、電池パック６９０は予定されていない。なお電池パック６９０は最新型で、アダプタ６８０でも接続されることが予定されていない。この場合、電池パック６９０内のＣＰＵ６９８が充電装置１１０を制御する。スイッチ６８２がＡ接点に切換えられている間は、電池パック６９０内のＣＰＵ６９８が充電装置１１０を制御する。一方、スイッチ６８２がＢ接点に切換えられている間は、充電装置１１０内のＣＰＵ１３２が充電装置１１０を制御する。このとき、電池パック７００に記憶されているパラメータが読み出されて利用される。
（第３４実施形態の充電装置の使い方）
図４４に示される実施形態は、２個の電池パック６９０と７００に対する充電と放電を同時並行的に繰り返して２個の電池パック６９０と７００を同時並行的に活性化させるアダプタ７１０をとり付けた例を示す。ここで、図４２の場合とは相違し、電池パック７００は充電装置１１０で充電することを予定しているのに対し、電池パック６９０は予定されていない。なお、電池パック６９０は最新型で、アダプタ７１０でも接続されることが予定されていない。この場合、電池パック６９０内のＣＰＵ６９８が充電装置１１０を制御する。スイッチ６８２がＡ接点に切換えられている間は、電池パック６９０内のＣＰＵ６９８が充電装置１１０を制御する。一方、スイッチ６８２がＢ接点に切換えられている間は、充電装置１１０内のＣＰＵ１３２が充電装置１１０を制御する。このとき、電池パック７００に記憶されているパラメータが読み出されて利用される。
（第３５実施形態の充電装置の使い方）
図４５に示される実施形態は、２台の充電装置１１０Ａと１１０Ｂで、４個の電池パック７４１，７４２，７４３，７４４を同時並行的に充電するアダプタ７２０を示す。
この場合、４個の電池パック７４１，７４２，７４３，７４４を充電するのに、１個のＣＰＵ７２８を用いるだけですむ。アダプタ７２０内には複雑なスイッチ群が用意されており、通常は、充電装置１１０Ａで電池パック７４１と７４２を同時並行的に充電し、充電装置１１０Ｂで電池パック７４３と７４４を同時並行的に充電する。
ＣＰＵ７２８は、スイッチを切換えて、充電装置１１０Ａの故障時には充電装置１１０Ｂで、電池パック７４１と７４２と７４３と７４４を同時並行的に充電し、充電装置１１０Ｂの故障時には充電装置１１０Ａで、電池パック７４１と７４２と７４３と７４４を同時並行的に充電する。アダプタ７２０に接続可能な電池パック数は４個以上であってもよく、また、アダプタ７２０に接続可能な充電装置数も２台以上であって良い。
（第３６実施形態の充電装置の使い方）
図４６に示される実施形態は、充電装置１１０と電池パック７３０の間に、マイナス基準のデジタル通信回線７３１と、設置基準のデジタル通信回線７３３を設けた例を示す。２種類のデジタル通信回線７３１と７３３を利用可能とすると、各種のＣＰＵやＲＯＭと通信可能となり、外部機器と通信して制御する可能性がさらに広げられる。
上記した各種の実施例は、特許請求の範囲に記載の技術を具体化したものであり、あくまで特許請求の範囲に記載されている技術の例示であると理解されなければならない。
【図面の簡単な説明】
図１は、第１実施例のアダプタを充電装置と電動機器に接続したときの図である。
図２（Ａ）は、充電装置にアダプタを装着したときの機能ブロック図である。
図２（Ｂ）は、充電装置に電池パックを装着したときの機能ブロック図である。
図３は、充電装置の外観を示す斜視図である。
図４は、電池パックの外観を示す斜視図である。
図５は、電池パックが装着された電動機器の側面図である。
図６は、アダプタの制御部によって実行される処理手順を示す図である。
図７は、充電装置の制御部によって実行される処理手順を示す図である。
図８は、第２実施例のアダプタを充電装置に接続したときに説明図である。
図９は、充電装置にアダプタを装着したときの機能ブロック図である。
図１０は、アダプタの制御部によって実行される処理手順を示す図である。
図１１は、充電装置に電池パックを接続したときの装置構成を示す。
図１２は、充電装置に電池を内蔵する電動機器を接続したときの装置構成を示す。
図１３は、第３実施例のアダプタを充電装置と電池パックの間に接続したときの装置構成を示す。
図１４は、充電装置に新型電池パックを接続したときの装置構成を示す。
図１５は、アダプタを充電装置と新型電池パックに間に接続したときの装置構成を示す。
図１６は、充電装置に新型電池パックを接続したときの装置構成を示す。
図１７は、充電装置に新型電池パックを接続したときの装置構成を示す。
図１８は、充電装置に新型電池パックを接続したときの装置構成を示す。
図１９は、充電装置に電池を内蔵する新型電動機器を接続したときの装置構成を示す。
図２０は、アダプタを充電装置と電池パックの間に接続した他の例の装置構成を示す。
図２１は、アダプタを充電装置と電池パックの間に接続した他の例の装置構成を示す。
図２２は、アダプタを充電装置と電池パックの間に接続した他の例の装置構成を示す。
図２３は、アダプタを充電装置と電池内蔵の電動機器の間に接続した他の例の装置構成を示す。
図２４は、アダプタを充電装置と電池内蔵の電動機器の間に接続した他の例の装置構成を示す。
図２５は、アダプタを充電装置と電池内蔵の電動機器の間に接続した他の例の装置構成を示す。
図２６は、アダプタを充電装置と電池パックの間に接続した他の例の装置構成を示す。
図２７は、アダプタを充電装置と電池内蔵の電動機器の間に接続した他の例の装置構成を示す。
図２８は、アダプタを充電装置と電池内蔵の電動機器の間に接続した他の例の装置構成を示す。
図２９は、アダプタを充電装置と電池内蔵の電動機器の間に接続した他の例の装置構成を示す。
図３０は、アダプタを充電装置とインターネットの間に接続した装置構成を示す。
図３１は、飲み物加熱用アダプタを充電装置に接続した装置構成を示す。
図３２は、飲み物冷却熱用アダプタを充電装置に接続した装置構成を示す
図３３は、盗難防止装置を組み込んだアダプタを充電装置と電池パックの間に接続した装置構成を示す。
図３４は、冷却装置を組み込んだアダプタを充電装置と電池パックの間に接続した装置構成を示す。
図３５は、冷却装置を組み込んだアダプタを充電装置と電池パックの間に接続した他の装置構成を示す。
図３６は、加温装置を組み込んだアダプタを充電装置と電池パックの間に接続した装置構成を示す。
図３７は、電池活性化装置を組み込んだアダプタを充電装置と電池パックの間に接続した装置構成を示す。
図３８は、１台の充電装置で２個の電池パックを充電可能とするアダプタを充電装置と２個の電池パックの間に接続した装置構成を示す。
図３９は、２台の充電装置で１個の電池パックを急速充電するためのアダプタを充電装置と電池パックの間に接続した装置構成を示す。
図４０は、充電装置の診断装置を組み込んだアダプタを充電装置に接続した装置構成を示す。
図４１は、電池活性化装置を組み込んだアダプタを充電装置と電池パックの間に接続した装置構成を示す。
図４２は、２個の電池を活性化する装置を組み込んだアダプタを充電装置と２個の電池パックの間に接続した装置構成を示す。
図４３は、タイプの異なる２個の電池パックを充電可能とするアダプタを充電装置と２個の電池パックの間に接続した装置構成を示す。
図４４は、タイプの異なる２個の電池パックを活性化する装置を組み込んだアダプタを充電装置と２個の電池パックの間に接続した装置構成を示す。
図４５は、２台の充電装置で２個以上の電池パックを同時に充電するアダプタを、充電装置と電池パックの間に接続した装置構成を示す。
図４６は、充電装置と電池パックの間に、２重の信号伝達経路を設けた装置構成を示す。
【図１】
0003860035.tif 000002
【図２】
0003860035.tif 000003
【図３】
0003860035.tif 000004
【図４】
0003860035.tif 000005
【図５】
0003860035.tif 000006
【図６】
0003860035.tif 000007
【図７】
0003860035.tif 000008
【図８】
0003860035.tif 000009
【図９】
0003860035.tif 000010
【図１０】
0003860035.tif 000011
【図１１】
0003860035.tif 000012
【図１２】
0003860035.tif 000013
【図１３】
0003860035.tif 000014
【図１４】
0003860035.tif 000015
【図１５】
0003860035.tif 000016
【図１６】
0003860035.tif 000017
【図１７】
0003860035.tif 000018
【図１８】
0003860035.tif 000019
【図１９】
0003860035.tif 000020
【図２０】
0003860035.tif 000021
【図２１】
0003860035.tif 000022
【図２２】
0003860035.tif 000023
【図２３】
0003860035.tif 000024
【図２４】
0003860035.tif 000025
【図２５】
0003860035.tif 000026
【図２６】
0003860035.tif 000027
【図２７】
0003860035.tif 000028
【図２８】
0003860035.tif 000029
【図２９】
0003860035.tif 000030
【図３０】
0003860035.tif 000031
【図３１】
0003860035.tif 000032
【図３２】
0003860035.tif 000033
【図３３】
0003860035.tif 000034
【図３４】
0003860035.tif 000035
【図３５】
0003860035.tif 000036
【図３６】
0003860035.tif 000037
【図３７】
0003860035.tif 000038
【図３８】
0003860035.tif 000039
【図３９】
0003860035.tif 000040
【図４０】
0003860035.tif 000041
【図４１】
0003860035.tif 000042
【図４２】
0003860035.tif 000043
【図４３】
0003860035.tif 000044
【図４４】
0003860035.tif 000045
【図４５】
0003860035.tif 000046
【図４６】
0003860035.tif 000047